(57)【要約】【課題】  簡単な構成で施工期間が短くて済み、自然排水時の水の流れを阻害せず、排水ポンプの維持管理が容易に行える排水ポンプ設備を提供すること。【解決手段】  水路１１に設置される排水ポンプ２０を備えた排水ポンプ設備１であって、排水ポンプ２０を水路１１内の設置位置Ｘから水路１１外の引上位置Ｙへ引き上げる引上機構２５を具備して構成されている。引上機構２５は、水路１１の側部１２に設置した支軸部２６を支点として水路１１内まで延伸し上下方向に揺動するように設けられた架台２７に排水ポンプ２０を取り付けて構成されている。【選択図】図３
2006266157.tif 000002
【特許請求の範囲】
【請求項１】
水路に設置される排水ポンプを備えた排水ポンプ設備であって、
前記排水ポンプはポンプ架台に設置され、
前記排水ポンプを前記ポンプ架台と共に前記水路内の設置位置から引き上げる引上機構を具備することを特徴とする排水ポンプ設備。
【請求項２】
請求項１に記載の排水ポンプ設備において、
前記ポンプ架台は、前記水路の側部を支点として上下方向に回動するように前記水路内に延伸して設けられていることを特徴とする排水ポンプ設備。
【請求項３】
請求項１又は２に記載の排水ポンプ設備において、
前記ポンプ架台は、前記水路の側部を支点として前記側部内へスライド移動するように前記水路内に延伸して設けられているか、又は前記側部に巻き取られて収納されるように前記水路内に延伸して設けられていることを特徴とする排水ポンプ設備。
【請求項４】
請求項２又は３に記載の排水ポンプ設備において、
前記ポンプ架台は、その水路内に延伸する方向が前記水路の水流と略直交する方向となるように設置され、前記ポンプ架台の前記水流と略同一方向の寸法が、前記排水ポンプの台数及び／又は大きさに合わせた寸法に構成されていることを特徴とする排水ポンプ設備。
【請求項５】
請求項１乃至４のいずれか１項に記載の排水ポンプ設備において、
前記排水ポンプの下流側にゲートを設置し、前記排水ポンプの排水を前記ゲートの下流側に排出するように構成したことを特徴とする排水ポンプ設備。
【請求項６】
水路に設置される排水ポンプを備えた排水ポンプ設備であって、
前記排水ポンプは、前記水路に設置される除塵機に一体に取り付けられており、
前記除塵機及び排水ポンプを前記水路内の設置位置から引上位置へ引き上げる引上機構を具備することを特徴とする排水ポンプ設備。
【請求項７】
請求項６に記載の排水ポンプ設備において、
前記排水ポンプの下流側にゲートを設置し、前記排水ポンプの排水を前記ゲートの下流側に排出するように構成したことを特徴とする排水ポンプ設備。
【請求項８】
請求項７に記載の排水ポンプ設備において、
前記排水ポンプの排水を前記ゲートの下流側へ排出する排水トラフを備え、
前記排水トラフは、前記除塵機の上端部のほぼ真下位置に設置することを特徴とする排水ポンプ設備。
【発明の詳細な説明】
【技術分野】
【０００１】
本発明は、自然排水及び強制排水を行う水路に設置される排水ポンプを備えた排水ポンプ設備に関する。
【背景技術】
【０００２】
従来の自然排水及び強制排水を行う水路に設置される排水ポンプ設備として、図１に示す構成のものがある。この排水ポンプ設備１００は、水路１０１の断面に設置した流下する水に含まれる廃棄物や流木等の塵芥を捕集する除塵機１１０と、該除塵機１１０の下流側に設置した排水ポンプ１２０と、排水ポンプ１２０の下流側に設置した開閉式のゲート１３０を具備して構成される。この排水ポンプ設備１００において自然排水を行うには、排水ポンプ１２０を運転せずに、ゲート１３０を上げて水路１０１を開放することで水を自然に流下させる。一方、強制排水を行うには、ゲート１３０を下ろすと共に排水ポンプ１２０を運転し、ゲート１３０の上流側の水を排水ポンプ１２０で吸い込んで配管１２１を通じてゲート１３０の下流側に強制的に排水する。その際、排水ポンプ１２０が閉塞することを防ぐため、除塵機１１０で流水中の塵芥を捕集する。なお、ここでいう除塵機とは、水路の断面に設置した塵芥を捕捉するスクリーンバーの他、スクリーンバーと該スクリーンバーの表面に沿って移動する掻上式レーキを備えた自動除塵機等も含む概念とする。
【０００３】
一方、図２は従来のポンプゲートを備えた排水ポンプ設備を示す図である。この排水ポンプ設備１５０は、水路１０１の断面に設置した除塵機１１０と、該除塵機１１０の下流側に設置した開閉式のゲート１６１に排水ポンプ１６２を一体に取り付けてなるポンプゲート１６０を具備して構成される。この排水ポンプ設備１５０において自然排水を行うには、ポンプゲート１６０を上げて水路１０１を開放することで水を自然流下させる。一方、強制排水を行うには、ポンプゲート１６０を下ろして水路１０１を閉じると共に排水ポンプ１６２を運転して強制的に排水を行う。また排水の際に、除塵機１１０で流水中の塵芥を捕捉することで、排水ポンプ１６２の閉塞を防止する。
【発明の開示】
【発明が解決しようとする課題】
【０００４】
ところが、これら従来の排水ポンプ設備には、以下のような問題があった。
（１）図１に示す構成の排水ポンプ設備１００では、排水ポンプ１２０が常時流水中に没しているため、排水ポンプ１２０によって水路１０１の断面積が縮小してしまい、自然流下時の水の流れが阻害される。
【０００５】
（２）また、水路１０１内に排水ポンプ１２０を設置した後も、定期的に排水ポンプ１２０の点検・補修を行う必要があるが、排水ポンプ１２０が常時流水中に没しているため、そのつどクレーン等を用いて引上げ作業を行わなければならず、点検・補修に非常に手間がかかる。
【０００６】
（３）既設の水路１０１に図１に示す排水ポンプ１２０や図２に示すポンプゲート１６０を設置する場合、水路１０１の幅寸法によって設置できる排水ポンプ１２０やポンプゲート１６０の台数や大きさが制限される場合があり、水路１０１の幅寸法を拡張する工事や、それに伴うゲート１３０の改造工事等が必要になる。すると、排水ポンプ設備の設置に要する施工期間が長くなる。また、これらの工事に伴い水路１０１を自然排水路として使用できない期間が発生する場合がある。
【０００７】
（４）除塵機１１０を設置した場合は、除塵機１１０で捕捉して引き上げた塵芥を搬送するコンベア等を設ける必要があり、排水ポンプ設備の設備規模が大きくなるという問題がある。また、引き上げた塵芥の搬出等の処理作業に手間がかかる。
【０００８】
（５）図２に示すポンプゲート１６０を備えた排水ポンプ設備１５０では、排水ポンプ１６２の吐出口に取り付けた簡易な構成のフラップ弁１６３で流水の逆流を防止して水路１０１の止水を行う構造になっているため、排水ポンプ設備１５０の止水信頼性が低かった。一方、完全な止水を行うように構成するためには、仕切弁等の完全止水弁を別途設ける必要があり、排水ポンプ設備１５０が大掛かりになってしまう。
【０００９】
（６）また、ポンプゲート１６０においては、強制排水時は、ゲート１６１を上げると支川への逆流が起きてしまうため基本的にゲート１６１を上げることはできない。そのため、ポンプ１６２に故障が生じた際の復旧が迅速に行えず、排水機能の信頼性が低かった。
【００１０】
本発明は上述の点に鑑みてなされたものでありその目的は、簡単な構成で施工期間が短くて済み、自然流下時の水の流れを阻害せず、排水ポンプの維持管理が容易に行える排水ポンプ設備を提供することにある。
【課題を解決するための手段】
【００１１】
上記課題を解決するため請求項１に記載の発明は、水路に設置される排水ポンプを備えた排水ポンプ設備であって、前記排水ポンプはポンプ架台に設置され、前記排水ポンプを前記ポンプ架台と共に前記水路内の設置位置から引き上げる引上機構を具備することを特徴とする。
【００１２】
請求項２に記載の発明は、請求項１に記載の排水ポンプ設備において、前記ポンプ架台は、前記水路の側部を支点として上下方向に回動するように前記水路内に延伸して設けられていることを特徴とする。
【００１３】
請求項３に記載の発明は、請求項１又は２に記載の排水ポンプ設備において、前記ポンプ架台は、前記水路の側部を支点として前記側部内へスライド移動するように前記水路内に延伸して設けられているか、又は前記側部に巻き取られて収納されるように前記水路内に延伸して設けられていることを特徴とする。
【００１４】
請求項４に記載の発明は、請求項２又は３に記載の排水ポンプ設備において、前記ポンプ架台は、その水路内に延伸する方向が前記水路の水流と略直交する方向となるように設置され、前記ポンプ架台の前記水流と略同一方向の寸法が、前記排水ポンプの台数及び／又は大きさに合わせた寸法に構成されていることを特徴とする。
【００１５】
また、水路に排水ポンプを複数台設置する場合は、ポンプ架台を分割して各排水ポンプにポンプ架台を設けることで、排水ポンプ一台分をユニット化することも可能である。
【００１６】
請求項５に記載の発明は、請求項１乃至４のいずれか１項に記載の排水ポンプ設備において、前記排水ポンプの下流側にゲートを設置し、前記排水ポンプの排水を前記ゲートの下流側に排出するように構成したことを特徴とする。
【００１７】
請求項６に記載の発明は、水路に設置される排水ポンプを備えた排水ポンプ設備であって、前記排水ポンプは、前記水路に設置される除塵機に一体に取り付けられており、前記除塵機及び排水ポンプを前記水路内の設置位置から引上位置へ引き上げる引上機構を具備することを特徴とする。
【００１８】
請求項７に記載の発明は、請求項６に記載の排水ポンプ設備において、前記排水ポンプの下流側にゲートを設置し、前記排水ポンプの排水を前記ゲートの下流側に排出するように構成したことを特徴とする。
【００１９】
請求項８に記載の発明は、請求項７に記載の排水ポンプ設備において、前記排水ポンプの排水を前記ゲートの下流側へ排出する排水トラフを備え、前記排水トラフは、前記除塵機の上端部のほぼ真下位置に設置することを特徴とする。
【００２０】
なお、ゲートの下流側への塵芥の放流が許可されていない場合には、排水トラフに塵芥を捕捉するスクリーン部又はメッシュ部を設けて、該スクリーン部又はメッシュ部で排水トラフを流れる塵芥を捕捉して回収するようにすればよい。
【発明の効果】
【００２１】
本願請求項１に記載の発明によれば、排水ポンプはポンプ架台に設置され、排水ポンプをポンプ架台と共に水路内の設置位置から引き上げる引上機構を具備するので、自然排水時には、排水ポンプを設置位置から引き上げることで、水路の断面積が縮小することを防ぐことができ、排水ポンプによって自然流下時の水の流れが阻害されることがなくなる。
【００２２】
請求項２に記載の発明によれば、ポンプ架台は、水路の側部を支点として上下方向に回動するように水路内に延伸して設けられているので、簡単な構成で引上機構を実現することができる。そのため、排水ポンプ設備の構成が簡単になりその設置が容易になる。
【００２３】
請求項３に記載の発明によれば、ポンプ架台は、水路の側部を支点として水路の側部内へスライド移動するように水路内に延伸して設けられているか、又は水路の側部に巻き取られて収納されるように水路内に延伸して設けられているので、排水ポンプに故障が生じた際やメンテナンスの際に、排水ポンプを水路の側部へ回収することが容易に可能となり、排水ポンプの修理や保守の作業が行い易くなる。
【００２４】
請求項４に記載の発明によれば、ポンプ架台は、その水路内に延伸する方向が水路の水流と略直交する方向となるように設置され、ポンプ架台の水流と略同一方向の寸法が、排水ポンプの台数及び／又は大きさに合わせた寸法に構成されているので、排水ポンプを設置するポンプ架台の寸法に制限が無く、排水ポンプの設置の自由度が大きくなる。また、設置する排水ポンプの台数や大きさによって既設の水路の幅寸法を変更したりゲートを改造する等の工事を行う必要がなくなり、排水ポンプ設備の設置工事の期間を短縮できると共に、設置工事を行う間、水路の自然排水路としての機能が損なわれることを防止できる。
【００２５】
ポンプ架台を分割して排水ポンプ一台分をユニット化する場合は、排水量に合わせたユニット数を設置することで種々の水路への対応が容易になると共に、ユニット化により低コスト化が可能となる。またポンプ架台を分割することによって、強制排水時にポンプが故障した際には、対象の排水ポンプのみを引き上げて復旧対応することが可能となり、排水機能の信頼性を向上させることができる。
【００２６】
請求項５に記載の発明によれば、排水ポンプの下流側にゲートを設置し、排水ポンプの排水をゲートの下流側に排出するように構成したので、ゲートによって水路の止水を容易且つ確実に行うことができ、止水信頼性の高い排水ポンプ設備となる。
【００２７】
請求項６に記載の発明によれば、排水ポンプは、水路に設置される除塵機に一体に取り付けられているので、排水ポンプ設備の構成が簡単になり設置工事の期間を短縮できる。また排水ポンプ設備は、除塵機と排水ポンプを水路内の設置位置から引き上げる引上機構を具備しているので、自然排水時には、排水ポンプを設置位置から引き上げることで、水路の断面積が縮小することを防げる。従って排水ポンプによって自然流下時の水の流れが阻害されることがなくなる。加えて、排水ポンプと除塵機が一体に取り付けられているので、排水ポンプを設置位置に位置させて運転する際には、必ず除塵機も設置位置に位置することになり、塵芥による排水ポンプの閉塞を確実に防止することができる。
【００２８】
請求項７に記載の発明によれば、排水ポンプの下流側にゲートを設置し、排水ポンプの排水をゲートの下流側に排出するように構成したので、ゲートによって水路の止水を容易且つ確実に行うことができ、止水信頼性の高い排水ポンプ設備となる。
【００２９】
請求項８に記載の発明によれば、排水ポンプの排水をゲートの下流側へ排出する排水トラフを備え、排水トラフは、除塵機の上端部のほぼ真下位置に設置するので、除塵機で捕集された塵芥が排水トラフに落下し、排水トラフを流れる排水ポンプの排水と共にゲートの下流側へ排出される。したがって、除塵機で捕集した塵芥を搬送するコンベア等を設ける必要がなくなり、排水ポンプ設備の構成が簡単になる。また、除塵機によって捕集された塵芥をゲートの下流側に排出することができるため、捕集した塵芥の回収処理を行う必要がなくなる。
【発明を実施するための最良の形態】
【００３０】
以下、本発明の実施形態例を図面に基づいて詳細に説明する。
【実施例１】
【００３１】
図３は本発明の一実施形態にかかる排水ポンプ設備１の構成例を示す図で、同図（ａ）は排水ポンプ設備１の概略平面図で、同図（ｂ）は同図（ａ）のＡ−Ａ概略断面図である。この排水ポンプ設備１は、本川１０に合流する支川である水路１１に設置されたもので、水路１１の側部（側岸）１２から水路１１に延伸して設けられたポンプ架台２７と、該ポンプ架台２７上に設置された排水ポンプ２０と、排水ポンプ２０の設置位置より下流側の水路１１断面に設置された開閉式のゲート３０を備えて構成されている。
【００３２】
ポンプ架台２７は、水路１１の一方の側岸１２に設けられた支軸部２６にその長手方向の一端部２７ａがヒンジ機構等で上下方向に回動自在に取り付けられた略平板形状の部材からなり、該ポンプ架台２７の他端部２７ｂの近傍位置に排水ポンプ２０が載置されている。そしてこれらポンプ架台２７と支軸部２６及びヒンジ機構によって、排水ポンプ２０を水路１１内の設置位置から水路１１外の引上位置へ引き上げる引上機構２５が構成されている。
【００３３】
ポンプ架台２７は、一端部２７ａから他端部２７ｂにかけて水路１１内に向かって水流に対して略直交する方向に延伸して設置されており、設置する排水ポンプ２０の台数や外形寸法に応じて、水路１１の水流と略同一の方向に所定の幅寸法Ｄを有するように構成されている。ポンプ架台２７には、一台又は複数台の排水ポンプ２０が取り付けられる。複数台の排水ポンプ２０を取り付ける場合は、それら排水ポンプ２０を水流方向に沿って並べて配置できる幅寸法にポンプ架台２７を構成する。
【００３４】
排水ポンプ２０は、引上機構２５によって図３（ｂ）に示す設置位置Ｘから引上位置Ｙへ引き上げることができる。そして、排水ポンプ２０は、設置位置Ｘにおいて水路１１の断面に位置し、その吸込口（図示せず）が水路１１内に開口する。一方、吐出口（図示せず）には配管（吐出配管）２８が取り付けられ、該吐出配管２８はポンプ架台２７に沿って水路１１の側岸１２まで延伸し、側岸１２に設置された小水路１３に向かって開口している。小水路１３は側岸１２に沿って敷設され、排水ポンプ２０の下流側に設置されたゲート３０よりも下流側の水路１１に連通している。
【００３５】
上記構成の排水ポンプ設備１で自然排水を行うには、排水ポンプ２０を引上機構２５により設置位置Ｘから引上位置Ｙに位置させると共に、ゲート３０を上げて水路１１を開放する。これにより、水路１１の水を自然流下させて本川１０に送水する。一方、強制排水を行うには、ゲート３０を下ろして水路１１を閉じると共に、排水ポンプ２０を設置位置Ｘに位置させて運転する。これにより、ゲート３０の上流側の水が排水ポンプ２０で吸い上げられて配管２８及び小水路１３を通ってゲート３０の下流側に強制的に排出される。
【００３６】
このように、水路１１で自然排水を行う際には排水ポンプ２０を引上位置Ｙに位置させることで、従来の水路内に定置した排水ポンプのように水流を阻害する恐れが無くなる。また、排水ポンプ２０の点検・保守を行う際にも、引上機構によって引上位置Ｙに位置させることで点検等が行えるので、水路１１に設置した排水ポンプ２０をクレーン等を用いてそのつど引き上げる作業が必要無くなり、排水ポンプ２０の維持管理が容易になる。
【００３７】
また、この排水ポンプ設備１の設計上、ポンプ架台２７に許容される寸法としては、その幅方向の寸法（水路１１の水流方向の寸法）の方が長手方向の寸法（水流に直交する方向、即ち水路１１の幅方向の寸法）に比較して制限を受けずに済む。そのため、ポンプ架台２７の幅方向の寸法は、設置される排水ポンプ２０の台数及び／又は大きさに合った寸法に構成することができる。つまり、複数台の排水ポンプ２０を設置する場合等には、排水ポンプ２０を水路１１の水流に沿った方向に並べて設置できるようにポンプ架台２７の幅寸法を設計することが可能となる。これにより、既設の水路１１の幅寸法を拡張する工事や、それに伴うゲート３０の寸法を変更する改造工事等が不要となるため、排水ポンプ設備１の設置に要する施工期間が短くて済む。
【００３８】
なお、引上機構２５やポンプ架台２７の形状・構造等は図示したものに限定されず、これ以外の形状等であっても、排水ポンプ２０を載置して設置位置Ｘから引上位置Ｙへ引き上げることができる構成であればよい。また、排水ポンプ２０の設置台数、設置位置なども図示に限定されるものではない。
【実施例２】
【００３９】
図４は本発明の他の実施形態例（実施例２）にかかる排水ポンプ設備１−２の構成例を示す概略平面図である。本実施例において実施例１と共通する部分には同一の符号を付してその詳細な説明は省略する。以下の各実施例においても同様とする。排水ポンプ設備１−２が排水ポンプ設備１と異なるのは、排水ポンプ２０を複数台設置すると共に、ポンプ架台２７を各排水ポンプ２０に対して個別に設けた点である。即ち同図に示すように、水路１１の水流に沿った方向に並べてポンプ架台２７−１〜２７−３を設置している。各ポンプ架台２７−１〜２７−３の幅寸法は、それぞれ載置する排水ポンプ２０の形状・寸法に合わせた寸法にする。
【００４０】
このように、複数の排水ポンプ２０を設置する場合、ポンプ架台２７を分割してポンプ１台分をユニットとして形成することができる。これにより水路１１の排水量に合わせたユニット数を設置することで、種々の水路への対応が容易になると共に、ユニット化により低コスト化が可能となる。また、ポンプ架台２７が排水ポンプ２０毎に分割されているので、強制排水時にいずれかの排水ポンプ２０が故障した際には、対象の排水ポンプ２０のみを引き上げて復旧対応することが可能であり、排水機能の信頼性を向上させることができる。
【実施例３】
【００４１】
図５は本発明の他の実施形態例（実施例３）にかかる排水ポンプ設備１−３の構成例を示す概略側面図である。この排水ポンプ設備１−３は、排水ポンプ設備１の構成に加えて、引上位置Ｙにおいて、ポンプ架台２７が支軸部２６を支点として水路１１の水流に略直交する方向にスライド移動するように構成したものである。即ち、ポンプ架台２７は、同図（ａ）に示すように、引上位置Ｙにおいて水路１１の上方に張り出した状態から、同図（ｂ）に示すように側岸１２の内側方向へスライド移動させることができ、側岸１２内に収納することができる。これにより、排水ポンプ２０に故障が生じた際やメンテナンスの際に、排水ポンプ２０を水路１１から引き上げて側岸１２内へ回収することが容易に可能となり、側岸１２で排水ポンプ２０の修理や保守の作業が行い易くなる。
【００４２】
また、図示は省略するが、ポンプ架台２７を巻き取り可能な形状とすることで、巻き取って側岸１２に回収する構成としてもよい。即ち、支軸部２６にシャッターのように巻き取って収納するようにし、引上位置Ｙに引き上げた状態からポンプ架台２７を巻き取ることで排水ポンプ２０を側岸１２内に回収する。この構成によれば、回収時に側岸１２においてポンプ架台２７の設置スペースを小さくすることが可能となる。
【実施例４】
【００４３】
図６は本発明の他の実施形態例（実施例４）にかかる排水ポンプ設備１−４の構成例を示す図で、同図（ａ）は排水ポンプ設備１−４の概略平面図で、同図（ｂ）は同図（ａ）のＢ−Ｂ概略断面図である。排水ポンプ設備１−４は、実施例１の排水ポンプ設備１と同様、本川１０に連通する支川である水路１１に設置されたものである。排水ポンプ設備１−４は、排水ポンプ２０を一体に取り付けてなる水路１１の断面に設置された引き上げ式の除塵機（排水ポンプ付き除塵機）４０と、該除塵機４０の下流側の水路１１に設置された開閉式ゲート３０を備えて構成されている。
【００４４】
除塵機４０の詳細な構成を図７に示す。除塵機４０は、水路１１の断面に設置するバースクリーン４１と、該バースクリーン４１で捕捉された塵芥を掻き取るレーキ（可動式レーキ）４２を具備してなる自動除塵機である。また、除塵機４０は、図６（ｂ）に示す水路１１の断面に設置した設置位置Ｘから水路１１外の引上位置Ｙまで引き上げることができるように構成された引上機構４６を具備する、いわゆる引き上げ式除塵機である。この引上機構４６は、除塵機４０を支軸部４３を中心に回動機構によって上下方向に回動自在に取り付けた構成であり、下方一杯に回動した設置位置Ｘにおいてバースクリーン４１が水路１１の断面に掛け渡された状態になり、上方一杯に揺動した引上位置Ｙで、水路１１から引き上げられた状態になる。
【００４５】
バースクリーン４１の両側部には、所定間隔にレーキ４２を取り付けたエンドレスチェ−ン４４が設置されており、該エンドレスチェーン４４は駆動機構４５によって除塵機４０の前面４０ａと背面４０ｂを循環回動するようになっている。なお、本実施例に示す除塵機４０の構成は一例であり、除塵機４０はバースクリーン４１と自動掻き上げ式レーキ４２を具備する自動除塵機には限られず、バースクリーンのみを設けた構成や、バースクリーンと手動掻き上げ式のレーキを備えた構成等であってもよい。
【００４６】
除塵機４０には、その下端部４０ｄ近傍の下流側の面に対向する位置に排水ポンプ２０が一体に取り付けられている。排水ポンプ２０は、バースクリーン４１の回動に伴って一体に回動し、設置位置Ｘから引上位置Ｙへ引き上げることができる。排水ポンプ２０の吐出口（図示せず）には配管（吐出配管）２８が取り付けられ、該吐出配管２８は、バースクリーン４１の下流側の面に沿って水路１１の上方まで延伸しており、除塵機４０の下流側の水路１１の上部に掛け渡して設置された排水トラフ５０に向かって開口している。図６（ａ）に示すように、排水トラフ５０はその一端が水路１１の側岸１２に設けた小水路１３に連通しており、該小水路１３は、側岸１２に沿って敷設され、排水ポンプ２０の下流側に設置された開閉式ゲート３０よりも下流側の水路１１に連通している。
【００４７】
除塵機４０を設置位置Ｘに位置させた状態で運転すると、図７に示すエンドレスチェ−ン４４に取り付けられた複数のレ−キ４２がバースクリーン４１の前面を上昇し、除塵機４０の背面側（下流側の面）４０ｂを降下する。ここで、除塵機４０は、設置位置Ｘにおいてその下端部４０ｄから上端部４０ｃにかけて水路１１の下流側に向かって傾斜した状態で設置されており、設置位置Ｘで上端部４０ｃが排水トラフ５０のほぼ真上に位置するように設置されている。そのため、バースクリ−ン４１で捕捉された塵芥がレーキ４２によって掻き上げられると、除塵機４０の上端部４０ｃで落下して排水トラフ５０に導入される。
【００４８】
上記構成の除塵機４０を有する排水ポンプ設備１−４で自然排水を行うには、引上機構４６により除塵機４０を引上位置Ｙに位置させると共に、ゲート３０を上げて水路１１を開放する。これにより、水を自然流下させて本川１０に送水する。一方、強制排水を行うには、ゲート３０を下げて水路１１を閉じると共に、除塵機４０を下げて設置位置Ｘに位置させる。これにより排水ポンプ２０が除塵機４０の下流側の水流内に位置する。この状態で除塵機４０と排水ポンプ２０を運転することで、除塵機４０を通過した水が排水ポンプ２０によって吸い上げられて、配管２８を通って排水トラフ５０に排出される。一方、除塵機４０のバースクリーン４１で捕捉された塵芥は可動レーキ４２で掻き上げられて排水トラフ５０に落下する。排水トラフ５０に落下した塵芥は、排水ポンプ２０からの排水によって小水路１３へ流される。該排水及び塵芥は、小水路１３を通ってゲート３０よりも下流側の水路１１に排出されて本川１０へ放流される。
【００４９】
このように、排水ポンプ２０を引き上げ式の除塵機４０と一体に取り付けたので、除塵機４０の引上機構４６で排水ポンプ２０を設置位置Ｘから引き上げて、引上位置Ｙに位置させることができる。従って、水路１１で自然排水を行う際には排水ポンプ２０を引上位置Ｙに位置させることで、従来の水路内に定置した排水ポンプのように水流を阻害する恐れが無くなる。また、排水ポンプ２０の点検・保守を行う際にも引上機構４６によって引上位置Ｙに位置させることで容易に点検等が行えるので、水路１１に設置した排水ポンプ２０をそのつどクレーン等で引き上げる作業が必要無くなり、排水ポンプ２０の維持管理が容易になる。
【００５０】
また、排水ポンプ２０と除塵機４０が一体に取り付けられているので、排水ポンプ設備１−４の構成が簡単になる。また、排水ポンプ２０を設置位置Ｘに位置させて運転する際には、必ず除塵機４０のバースクリーン４１がその上流側の水路断面に設置された状態になるので、排水ポンプ２０の運転時の水路１１の除塵を確実に行うことができ、排水ポンプ２０の閉塞を防止することができる。
【００５１】
さらに、除塵機４０で捕捉した塵芥を排水ポンプ２０の排水が流入する排水トラフ５０に導くように構成したので、従来の除塵機のように捕集した塵芥を搬送するコンベア等の設備を設ける必要が無くなり、排水ポンプ設備のコンパクト化を図ることができる。また、塵芥が排水トラフ５０からゲート３０の下流側に放流されるので、排水ポンプ設備の簡素化が可能となる。
【００５２】
なお、水路１１に排水ポンプ２０を複数台設置する場合は、複数台の排水ポンプを同一の除塵機４０に設置する。
【実施例５】
【００５３】
図８は本発明の他の実施形態例（実施例５）にかかる排水ポンプ設備１−５の構成例を示す概略斜視図である。この排水ポンプ設備１−５は、排水ポンプ設備１−４の構成に加えて排水トラフ５０（上段トラフ）の下流側端部５０ａであって小水路（下段トラフ）１３の上方に位置する部分にパッチングメタル等からなるスクリーン（又はメッシュ）６０を被せて取り付けている。本排水ポンプ設備１−５は、ゲート３０（図６参照）の下流側に塵芥を放流することが許されない場合に用いられるもので、除塵機４０で回収され排水トラフ５０に導入された塵芥がスクリーン６０で捕捉されて回収され、ゲート３０の下流側に放流されることがない。なお、万が一スクリーン６０に塵芥が詰まった場合でも、排水トラフ５０を流れる排水はオーバーフローして下段の小水路１３に落下するようになっている。
【００５４】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載のない何れの形状や材質であっても、本願発明の作用・効果を奏する以上、本願発明の技術的思想の範囲内である。
【図面の簡単な説明】
【００５５】
【図１】従来の排水ポンプ設備の構成例を示す図である。
【図２】従来のポンプゲートを備えた排水ポンプ設備の構成例を示す図である。
【図３】本発明の一実施形態例（実施例１）にかかる排水ポンプ設備を示す図で、同図（ａ）は、排水ポンプ設備の概略平面図、同図（ｂ）はその概略側断面図である。
【図４】本発明の他の実施形態例（実施例２）にかかる排水ポンプ設備を示す図である。
【図５】本発明の他の実施形態例（実施例３）にかかる排水ポンプ設備を示す図で、同図（ａ）は、ポンプ架台２７が引上位置Ｙに位置する場合を示し、同図（ｂ）はポンプ架台２７をスライド移動させた状態を示す図である。
【図６】本発明の他の実施形態例（実施例４）にかかる排水ポンプ設備の構成例を示す図で、同図（ａ）は、排水ポンプ設備の概略平面図、同図（ｂ）はその概略側断面図である。
【図７】除塵機４０の構成例を示す図である。
【図８】本発明の他の実施形態例（実施例５）にかかる排水ポンプ設備の構成例を示す概略斜視図である。
【符号の説明】
【００５６】
１      排水ポンプ設備
１０    本川
１１    水路
１２    側岸
１３    小水路
２０    排水ポンプ
２５    引上機構
２６    支軸部
２７    架台
２８    配管（吐出配管）
３０    （開閉式）ゲート
４０    除塵機
４１    バースクリーン
４２    （可動式）レーキ
４３    支軸部
４４    エンドレスチェーン
４５    駆動機構
４６    引上機構
５０    排水トラフ
６０    スクリーン（又はメッシュ）
Ｘ    設置位置
Ｙ    引上位置
【図１】
2006266157.tif 000003
【図２】
2006266157.tif 000004
【図３】
2006266157.tif 000005
【図４】
2006266157.tif 000006
【図５】
2006266157.tif 000007
【図６】
2006266157.tif 000008
【図７】
2006266157.tif 000009
【図８】
2006266157.tif 000010